(57)【要約】【課題】空気調和機のフィルター装置において、エアーフィルター１に絡まった塵埃などの埃を十分に除去し、吸引により高い清掃能力を保持するエアーフィルター１を提供することを目的とするものである。【解決手段】空気調和機のフィルター装置のエアーフィルター１として、ポリエチレンテレフタレート樹脂繊維２を用いて平織りしたものである。この構成によって、エアーフィルター１で捕集した塵埃がエアーフィルター１の繊維に絡まり難くすることができ、吸引ノズルにて容易に塵埃を除去することが可能となる。【選択図】図１
2006153445.tif 000002
【特許請求の範囲】
【請求項１】
熱交換器を通過する空気の塵埃を除去するエアーフィルターを構成する繊維はポリエチレンテレフタレート樹脂であることを特徴とする空気調和機。
【請求項２】
エアーフィルターと、前記エアーフィルター上に形成されたフィルター清掃装置により構成されるフィルター装置を具備し、前記フィルター清掃装置は、前記エアーフィルターを前記フィルター清掃装置の内側に沿って回動させる回動手段と、前記エアーフィルター上のごみを除去するごみ除去手段と、ごみを収納するごみ収納部から構成されていることを特徴とする請求項１に記載の空気調和機。
【請求項３】
熱交換器を通過する空気の塵埃を除去するエアーフィルターと、前記エアーフィルター上に形成されたフィルター清掃装置により構成されるフィルター装置を具備し、前記フィルター清掃装置は、前記エアーフィルターを前記フィルター清掃装置の内側に沿って回動させる回動手段と、前記エアーフィルター上のごみを除去するごみ除去手段と、ごみを収納するごみ収納部から構成され、前記エアーフィルターはごみ除去手段と前記エアーフィルターとの間隔を所定の距離で一定に保つことができる形状であることを特徴とする空気調和機。
【請求項４】
エアーフィルターは、フィルター網の凹凸が少ないことを特徴とする請求項１〜３のいずれか１項に記載の空気調和機。
【請求項５】
エアーフィルターは、フィルター網が平織りの構造であることを特徴とする請求項１〜４のいずれか１項に記載の空気調和機。
【請求項６】
エアーフィルターは、フィルター網の繊維同士が交わる交点の樹脂層同士を溶着したことを特徴とする請求項１〜５のいずれか１項に記載の空気調和機。
【請求項７】
フィルター網は、芯線に高融点タイプの樹脂を用い、その表面に低融点タイプの樹脂の層を施した２層からなる樹脂繊維で構成されていることを特徴とする請求項６に記載の空気調和機。
【請求項８】
エアーフィルターは、格子を有するフィルター枠とフィルター網とから成り、前記フィルター枠はＡＢＳ（アクリロニトリルブタジエンスチレン）樹脂で成型加工されたことを特徴とする請求項１〜７のいずれか１項に記載の空気調和機。
【発明の詳細な説明】
【技術分野】
【０００１】
本発明は、フィルターの清掃を自動的に行うようにしたフィルター装置を搭載した空気調和機に関するものである。
【背景技術】
【０００２】
従来の空気調和機のフィルター装置は、熱交換器の前面に、空気調和機の本体内部へ埃が侵入することを防ぐためのエアーフィルターが設けられており、このエアーフィルターは付着した塵埃を手で清掃できるように着脱自在に構成されている。こうした構成でのフィルター装置は頻繁なメンテナンスが必要となるだけでなく、メンテナンスが行われるまでの間にはエアーフィルターが徐々に目詰まりしていき、その結果、熱交換器を通過する風量が低下して空調能力が低下して消費電力の増大につながることとなる。
【０００３】
このため、フィルターのメンテナンスの手間を低減する目的で、エアーフィルターに付着した塵埃を吸引ノズルにて吸引清掃し、吸引された塵埃を集塵装置に集塵するフィルター装置が考案されている。
【０００４】
図６は前記従来技術における空気調和機のフィルター装置の全体構成を示した図である。この図において、本体１の前面上部および上面に設けられた吸込口２と、前面下部に設けられた吹出口３とを結ぶ空気通路に、フィルタ４と、熱交換器６と、送風ファン５とを夫々設けた構成の空気調和機において、前記フィルタ４を清掃するためにフィルタ４上を移動自在に形成されたフィルタ清掃装置９を設けるが、このフィルタ清掃装置９は、フィルタ４をフィルタ清掃装置９の内側に沿って回動させる回動手段１０と、フィルタ４上のごみを除去するごみ除去手段１１と、ごみを収納するごみ収納部１２から構成されている。
【０００５】
ごみ除去手段１１は、フィルタ４上を移動自在に形成されたごみ吸引部１３と、ごみ吸引部１３とごみ収納部１２とを連結する吸引ダクト部１５とから構成されている。
【０００６】
ごみ吸引部１３は巻き取りモータ１７の駆動により固定レール１６に沿って左右方向に移動自在となっている。
【０００７】
以上の構成により、このフィルタ清掃装置９のごみ吸引部１３はフィルタ４上を左右方向に移動するにつれ、フィルタ４上に付着したごみは吸引され、ごみ収納部１２に運ばれる。
【０００８】
また、フィルタ清掃装置９のごみ吸引部１３が左右に移動するとともに、フィルタ４が前記回動手段１０によってごみ吸引部１３の移動方向と直角方向（上下方向）に移動されるので、前記フィルタ４のほぼ全部の面積についてごみを吸引することができるというものである（例えば、特許文献１参照）。
【０００９】
また、エアーフィルターの従来技術としては図７に示すように合成繊維を織り、枠体を結着させたものがある。
【００１０】
同図に示すように枠体１２および１２ａの間の網目状のフィルタ部３をポリプロピレンで一体成形してフィルター１を形成したものである（例えば、特許文献２参照）。
【特許文献１】特開２００２−３４０３９５号公報
【特許文献２】特開平１０−１７００６４号公報
【発明の開示】
【発明が解決しようとする課題】
【００１１】
しかしながら、前記従来技術の取り外して清掃を行うタイプのエアーフィルターはポリプロピレン樹脂繊維で構成されているものが一般的であり、この場合ポリプロピレン樹脂自体の機械的強度が弱いためにエアーフィルターなどの繊維状として用いる場合には、最低でも百数十μｍ程度以上の繊維径が必要となる。
【００１２】
このため、エアーフィルター全体としては凹凸をもつ形態となり、吸引ノズルとエアーフィルターとの間隔をある程度の距離で一定に保つことが困難となることから十分な埃の清掃除去ができない場合があった。
【００１３】
また、従来のポリプロピレン樹脂繊維は凹凸を持つために、捕集した塵埃がエアーフィルターに絡みつき吸引だけでは充分に除去できない場合があった。
【００１４】
本発明は、前記従来の課題を解決するもので、エアーフィルターに絡まった塵埃などの埃を十分に除去し、吸引により高い清掃能力を有するフィルター装置を搭載した空気調和機を提供することを目的とするものである。
【課題を解決するための手段】
【００１５】
前記従来の課題を解決するために、本発明の空気調和機は、熱交換器を通過する空気の塵埃を除去するエアーフィルターを構成する繊維をポリエチレンテレフタレート樹脂としたものである。
【００１６】
この構成によって、エアーフィルターで捕集した塵埃がエアーフィルターの繊維に絡まり難くすることができ、吸引ノズルにて容易に塵埃を除去することが可能となる。
【発明の効果】
【００１７】
本発明の空気調和機は、エアーフィルターを構成する繊維素材の塵離れ性を向上し、エアーフィルターへの塵埃の絡み付きを防止することにより、油分などを含んだ塵埃に対しても、吸引ノズルによる吸引清掃機能が十分な清掃能力を発揮できる構成を可能としたものである。
【発明を実施するための最良の形態】
【００１８】
第１の発明は、熱交換器を通過する空気の塵埃を除去するエアーフィルターを構成する繊維をポリエチレンテレフタレート樹脂とすることにより、エアーフィルターで捕集した塵埃がエアーフィルターの繊維に絡まり難くすることができ、容易に塵埃を除去することができる。
【００１９】
第２の発明は、特に、第１の発明のエアーフィルターと、前記エアーフィルター上に形成されたフィルター清掃装置により構成されるフィルター装置を具備し、前記フィルター清掃装置は、前記エアーフィルターを前記フィルター清掃装置の内側に沿って回動させる回動手段と、前記エアーフィルター上のごみを除去するごみ除去手段と、ごみを収納するごみ収納部から構成されていることにより、エアーフィルターで捕集した塵埃がエアーフィルターの繊維に絡まり難くすることができ、ごみ除去手段にて容易に塵埃を除去することができる。
【００２０】
第３の発明は、熱交換器を通過する空気の塵埃を除去するエアーフィルターと、前記エアーフィルター上に形成されたフィルター清掃装置により構成されるフィルター装置を具備し、前記フィルター清掃装置は、前記エアーフィルターを前記フィルター清掃装置の内
側に沿って回動させる回動手段と、前記エアーフィルター上のごみを除去するごみ除去手段と、ごみを収納するごみ収納部から構成され、前記エアーフィルターはごみ除去手段と前記エアーフィルターとの間隔を所定の距離で一定に保つことができる形状とすることにより、エアーフィルターで捕集した塵埃をごみ除去手段にて均一に除去することができる。
【００２１】
第４の発明は、特に、第１〜３のいずれか１つの発明のエアーフィルターを、フィルター網の凹凸が少ない構造とすることにより、エアーフィルターで捕集した塵埃がエアーフィルターの繊維に絡まり難くすることができ、ごみ除去手段にて容易に塵埃を除去することができる。
【００２２】
第５の発明は、特に、第１〜４のいずれか１つの発明のエアーフィルターを、フィルター網が平織りの構造とすることにより、エアーフィルターで捕集した塵埃がエアーフィルターの繊維に絡まり難くすることができ、ごみ除去手段にて容易に塵埃を除去することができる。
【００２３】
第６の発明は、特に、第１〜５のいずれか１つの発明のエアーフィルターを、フィルター網の繊維同士が交わる交点の樹脂層同士を溶着した構造とすることにより、繊維同士が重なる部分の厚みを抑制するとともに、繊維の移動やズレなどによる偏りを防止することができる。
【００２４】
第７の発明は、特に、第１〜６のいずれか１つの発明のフィルター網を、芯線に高融点タイプの樹脂を用い、その表面に低融点タイプの樹脂の層を施した２層からなる樹脂繊維で構成することにより、繊維同士が重なる部分の厚みを抑制するとともに、繊維の移動やズレなどによる偏りを防止することができる。
【００２５】
第８の発明は、特に、第１〜７のいずれか１つの発明のエアーフィルターは、格子を有するフィルター枠とフィルター網とから成り、前記フィルター枠はＡＢＳ（アクリロニトリルブタジエンスチレン）樹脂で成型加工された構造とすることにより、フィルター網の弛みを抑制することができる。
【００２６】
以下、本発明の実施の形態について、図面を参照しながら説明する。なお、この実施の形態によって本発明が限定されるものではない。
【００２７】
（実施の形態１）
以下、図１を用い、実施の形態１について説明する。
【００２８】
図１は、本発明の第１の実施の形態におけるエアーフィルターの概略外観図を示すものである。
【００２９】
図１において、１はエアーフィルター、２はＰＥＴ（ポリエチレンテレフタレート）樹脂繊維である。
【００３０】
エアーフィルター１は、１００μｍ以下のＰＥＴ樹脂繊維２を織り込んで形成されたフィルター網１０２とフィルター枠１０１とから構成されており、ＰＥＴ樹脂繊維２は芯線に高融点タイプのＰＥＴ樹脂を用い、その表面に低融点タイプのＰＥＴ樹脂の層を施した２層からなるＰＥＴ樹脂繊維２で構成されている。
【００３１】
この高融点と低融点の２層からなるＰＥＴ樹脂繊維２を織り込み繊維同士が交わる交点の低融点ＰＥＴ樹脂層同士を溶着することにより、繊維同士が重なる部分の厚みを抑制す
るとともに、繊維の移動やズレなどによる偏りを防止する構造となっている。
【００３２】
このような構造からなるフィルター網１０２を、例えばＡＢＳ（アクリロニトリルブタジエンスチレン）樹脂からなるフィルター枠１０１で周囲や格子を成型加工し、フィルター網１０２の弛みを抑制することにより、エアーフィルター１となる。
【００３３】
このようにしてなされたエアーフィルター１を空気調和機のフィルター装置１００として用いることにより、フィルター網１０２の凹凸や撓みが少ないため、吸引ノズルと１０３エアーフィルター１との間隔を間隔で一定に保つことできるため、エアーフィルター１で捕集した塵埃を均一に除去することができる。
【００３４】
さらに、フィルター網１０２の凹凸が少ないためにエアーフィルター１で捕集した塵埃がエアーフィルター１の繊維に絡まり難くすることができ、吸引ノズル１０３にて容易に塵埃を除去することが可能となる。
（実施の形態２）
以下、図２を用い実施の形態２について説明する。
【００３５】
図２は、本発明の実施の形態２におけるエアーフィルターの概略外観図である。
【００３６】
図２において、３はフッ素加工樹脂繊維である。なお、空気調和機のフィルター装置の全体構成は実施の形態１（図１）と同じであるため説明は省略する。
【００３７】
エアーフィルター１は、フィルター網１０２として樹脂繊維の表面にフッ素加工を施した、フッ素加工樹脂繊維３を用いたものである。
【００３８】
このフッ素加工樹脂繊維３は、例えばＰＥＴ樹脂繊維２の表面にバインダーなどを用いフッ素樹脂をコーティングしたものであり、その後で、例えば平織りなどによりフィルター状に加工し、フィルター網１０２として成型する。また、樹脂繊維を平織りなどによりフィルター状に加工した後、フッ素樹脂加工を施すことも可能である。
【００３９】
このようにフィルター網１０２として、フッ素樹脂加工繊維３を用いてエアーフィルター１を形成することにより、油分などを含んだ塵埃をエアーフィルター１で捕集した場合に、エアーフィルター１の表面に施されたフッ素樹脂加工の影響で、油分などがエアーフィルター１に固着することを防止することが可能となり、フィルター網１０２表面からの塵埃などの塵離れ性の向上ができ、吸引ノズル１０３にて容易に塵埃を吸引除去することができる。
（実施の形態３）
以下、図３を用い実施の形態３について説明する。
【００４０】
図３は、本発明の実施の形態３におけるエアーフィルターの概略外観図である。
【００４１】
図３において、４は金属材料蒸着繊維である。なお、空気調和機のフィルター装置の全体構成は実施の形態１（図１）と同じであるため説明は省略する。
【００４２】
エアーフィルター１は、フィルター網１０２として、樹脂繊維の表面に、例えば、ステンレスの微細な金属粉末を真空蒸着などの手段を用いて加工した繊維を平織りなどの工法によりフィルター状に加工したものを用いたものである。
【００４３】
このようにフィルター網１０２として金属材料蒸着繊維４を用いてエアーフィルター１を形成することにより、エアーフィルター１の表面に施された金属材料でフィルター網１
０２の表面を鏡面状とすることが可能となり、油分などを含んだ塵埃をエアーフィルター１にて捕集した場合でも、油分などとエアーフィルター１との剥離性を向上することができ、吸引ノズル１０３にて容易に塵埃を除去することができる。
【００４４】
なお、この例は金属微粉末としてステンレスを用いたが、導電性を有する金属の微粉末であれば同様の効果を得ることが可能であるとともに、蒸着手段も真空蒸着に拘ることなく金属の特性に合わせた方法での対応で可能である。
【００４５】
（実施の形態４）
以下、図４を用い実施の形態４について説明する。
【００４６】
図４は、本発明の実施の形態４におけるエアーフィルターの概略外観図である。
【００４７】
図４において、５は導電繊維である。なお、空気調和機のフィルター装置の全体構成は実施の形態１（図１）と同じであるため説明は省略する。
【００４８】
第４の発明のエアーフィルター１は、導電性を有する繊維５とＰＥＴ樹脂繊維２とを混織してフィルター状に加工しフィルター網１０２としたものである。
【００４９】
この例では、導電性樹脂繊維５はＰＥＴ樹脂繊維と混織したフィルター網１０２を用いたが、全て導電性樹脂繊維５にてフィルター網１０２としたものを用いることや、縦糸のみや横糸のみに導電性樹脂繊維５を用いることも可能であり、同様の効果も得られる。
【００５０】
このようにフィルター網１０２の一部または全体に導電性樹脂繊維５を用いてエアーフィルター１を形成することにより、空気中に浮遊する塵埃の殆どが電荷を帯びている（帯電）状態であるため、導電性樹脂繊維５との電位差によりエアーフィルター１での塵埃の捕集効率を向上することができるとともに、帯電している塵埃を瞬間的に除電することもでき、吸引ノズル１０３にて容易に塵埃を除去することができる。
（実施の形態５）
以下、図５を用い実施の形態５について説明する。
【００５１】
図５は、本発明の実施の形態５におけるエアーフィルターの概略外観図である。
【００５２】
図５において、６は金属繊維である。なお、空気調和機のフィルター装置の全体構成は実施の形態１（図１）と同じであるため説明は省略する。
【００５３】
エアーフィルター１は、フィルター網１０２として、例えば、ステンレスの微細な金属繊維６を用いて平織りなどの工法によりフィルター状に加工したものを用いたものである。
【００５４】
このようにフィルター網１０２として金属繊維５を用いてエアーフィルター１を形成することにより、エアーフィルター１の表面を鏡面状とすることが可能となり、油分などを含んだ塵埃をエアーフィルター１にて捕集した場合でも、油分などとエアーフィルター１との剥離性を向上することができ、吸引ノズル１０３にて容易に塵埃を除去することができる。
【産業上の利用可能性】
【００５５】
以上のように本発明にかかる空気調和機はエアーフィルターの塵離れ性を向上し、フィルター清掃装置の集塵能力を向上することができるので、空気清浄機や掃除機等の塵埃を収集分離する機器への用途にも適用できる。
【図面の簡単な説明】
【００５６】
【図１】本発明の実施の形態１のエアーフィルターの概略外観図
【図２】本発明の実施の形態２のエアーフィルターの概略外観図
【図３】本発明の実施の形態３のエアーフィルターの概略外観図
【図４】本発明の実施の形態４のエアーフィルターの概略外観図
【図５】本発明の実施の形態５のエアーフィルターの概略外観図
【図６】従来の空気調和機の概略構造図
【図７】従来のフィルターの概略構造図
【符号の説明】
【００５７】
１  エアーフィルター
２  ＰＥＴ樹脂繊維
３  フッ素加工樹脂繊維
４  金属材料蒸着繊維
５  導電繊維
６  金属繊維
【図１】
2006153445.tif 000003
【図２】
2006153445.tif 000004
【図３】
2006153445.tif 000005
【図４】
2006153445.tif 000006
【図５】
2006153445.tif 000007
【図６】
2006153445.tif 000008
【図７】
2006153445.tif 000009